(57)【要約】      （修正有）【課題】断熱性に優れ、赤外線又は／及び紫外線カットの遮断性に優れるとともに、既存の窓枠に取り付け可能な二重パネル窓を提供する。【解決手段】二重パネル窓１０は、ベース枠１１の一方の面にスペーサーを配置し、その上にガラスパネルを載置し、押え枠体１２にてこのガラスパネルをベース枠１１に組み付ける。また、ベース枠１１の他方の面に樹脂パネル２２を載置し、押え枠体１３にて組み付けることを基本とする。樹脂パネル２２は周囲の温度差により外形寸法の伸縮が大きいために、樹脂パネル２２の外周部には、内側に突出した（折り返した）突出部にて高さ調整をしつつ、断面Ｌ字形のストッパーにて最大に縮小してもベース枠１１から外れないようにする。【選択図】図１
0003170704.tif 000002
【実用新案登録請求の範囲】
【請求項１】
樹脂パネルとガラスパネルとを所定の間隔を隔てて平行に枠組みし、前記枠組みした枠体の外周部に、既存窓枠の内周部に差し込むための差込部を有することを特徴とする二重パネル窓。
【請求項２】
前記枠体はベース枠の一方の面に所定高さのスペーサーを介してガラスパネルを載置し、
当該ガラスパネルを前記ベース枠に押え枠を用いて組み付けてあり、
ベース枠の他方の面に樹脂パネルを載置し、当該樹脂パネルを前記ベース枠に押え枠を用いて組み付けてあり、
当該樹脂パネルは外周部に内側に突出した高さ調整部を有し、
前記ベース枠は前記樹脂パネルの高さ調整部が当該ベース枠から外れるのを防止したストッパーを取り付けてあることを特徴とする請求項１記載の二重パネル窓。
【請求項３】
前記二重パネルの間に結露するのを防止した除湿具を着脱自在に有することを特徴とする請求項１又は２記載の二重パネル窓。
【請求項４】
前記除湿具は樹脂パネルに設けた装着孔に取り付けるとともに、装着孔の周囲部に設けたマグネットにより当該除湿具を着脱自在に取り付けてあることを特徴とする請求項１〜３のいずれかに記載の二重パネル窓。
【考案の詳細な説明】
【技術分野】
【０００１】
本考案はガラスパネルと樹脂パネルとからなる二重窓に関し、特に既存の窓枠に取り付けることができる二重窓に係る。
【背景技術】
【０００２】
従来から二重にガラスパネル（ガラス板）を平行に配置した断熱窓は公知である。
しかし、２枚のガラスパネルの間の隙間が約１０ｍｍ以下と空間が狭いために断熱性が不充分であった。
また、ガラスは割れやすい問題もあった。
【０００３】
特許文献１は既存窓枠に取付可能な増設窓枠を開示するが、施工が大変である。
【先行技術文献】
【特許文献】
【０００４】
【特許文献１】特開２００７−１２６９１３号公報
【考案の開示】
【考案が解決しようとする課題】
【０００５】
本考案は、断熱性に優れ、赤外線又は／及び紫外線カットの遮断性に優れるとともに、既存の窓枠に取り付け可能な二重パネル窓の提供を目的とする。
【課題を解決するための手段】
【０００６】
本考案は、従来の二重ガラスでは割れやすく、合せガラスでは高価であるとともに重いことから、樹脂パネルとガラスパネル（ガラス板）とを組み合せることに着目した。
また、樹脂パネルはガラスパネルよりも温度差による伸縮が大きい問題も解決でき、従来の２枚のガラス間の隙間寸法よりも間隔を大きくとることで断熱性の向上を図ったものである。
【０００７】
よって、本考案に係る二重パネル窓は、脂パネルとガラスパネルとを所定の間隔を隔てて平行に枠組みし、前記枠組みした枠体の外周部に、既存窓枠の内周部に差し込むための差込部を有することを特徴とする。
また、温度差にて樹脂パネルが枠から外れないようにするために、枠体はベース枠の一方の面に所定高さのスペーサーを介してガラスパネルを載置し、当該ガラスパネルを前記ベース枠に押え枠を用いて組み付けてあり、ベース枠の他方の面に樹脂パネルを載置し、当該樹脂パネルを前記ベース枠に押え枠を用いて組み付けてあり、当該樹脂パネルは外周部に内側に突出した高さ調整部を有し、前記ベース枠は前記樹脂パネルの高さ調整部が当該ベース枠から外れるのを防止したストッパーを取り付けてあることを特徴とする。
さらには、二重パネルの間に結露するのを防止した除湿具を着脱自在に有してもよく、その場合に除湿具は樹脂パネルに設けた装着孔に取り付けるとともに、装着孔の周囲部に設けたマグネットにより当該除湿具を着脱自在に取り付けてあるのが好ましい。
また、ガラスパネルには内側面又は外側面に赤外線あるいは紫外線をカットするフィルム又はコーティングをしてもよく、特にガラスの内側にフィルムを貼ったり、コーティングすると遮断膜の傷付きを防ぐことができる。
【考案の効果】
【０００８】
本考案は、樹脂パネルとガラスパネルとを組み合せたので、割れにくい樹脂パネルの特徴をガラスパネルに組み合せることができ、二枚のパネルの間の隙間を大きくとることができ、既存の窓枠に取り付けることもできる。
よって、本考案に係る二重パネル窓は防犯性が高く、しかも断熱性が高い。
また、除湿具をマグネットにて着脱自在にすると、乾燥剤の再生又は交換が容易である。
【図面の簡単な説明】
【０００９】
【図１】本考案に係る二重パネル窓の例を示す。
【図２】ガラスパネル側の枠構造例を示す。
【図３】樹脂パネル側の枠構造例を示す。
【図４】ベース枠にスペーサー及びストッパーを取り付ける手順を示す。
【図５】ガラスパネルを組み付ける手順を示す。
【図６】ガラスパネルの組み付け完了状態を示す。
【図７】樹脂パネルの組み付け手順を示す。
【図８】樹脂パネルを押え枠で組み付け、除湿具を装着する手順を示す。
【図９】ガラスパネルを組み付ける手順の断面図を示す。
【図１０】樹脂パネルを組み付ける手順の断面図を示す。
【図１１】除湿具付近の断面図を示す。
【図１２】除湿具の構造例を示す。
【図１３】既存の窓枠に取り付けた例を示す。
【考案を実施するための最良の形態】
【００１０】
本考案に係る二重パネル窓１０は図１，図２に示すようにベース枠１１の一方の面にスペーサー１２ｅを配置し、その上にガラスパネル２１を載置し、押え枠体１２にてこのガラスパネル２１をベース枠１１に組み付ける。
また、ベース枠１１の他方の面に図１及び図３に示すように樹脂パネル２２を載置し、押え枠体１３にて組み付けることを基本とする。
【００１１】
樹脂パネル２２は周囲の温度差により外形寸法の伸縮が大きいために、樹脂パネル２２の外周部には図１０（ｂ）に示すように内側に突出した（折り返した）突出部２２ｃにて高さ調整をしつつ、断面Ｌ字形のストッパー１３ｅにて最大に縮小してもベース枠１１から外れないようになっている。
【００１２】
次に具体的な構造例を説明する。
ベース枠１１は図２及び図９（ａ）に示すようにアルミ押出形材等で製作した板状の左右の縦枠１１ａ，１１ｂと上下の横枠１１ｃ，１１ｄを長方形に連結した枠体になっている。
ベース枠１１の外形寸法は図１及び図１３に示すように既存の窓枠１のガラスを取り外して、その代わりに窓枠１の内周部の溝に差し込める差込部Ｓを有する寸法になっている。
【００１３】
ベース枠１１の一方の平面部から図４（ａ），（ｂ）及び図９（ｂ），（ｃ）に示すように、一片が下に向いた断面Ｌ字形状のストッパー１３ｅを固定孔４１を介してビス等の固定具４０を用いて取り付ける。
ストッパー１３ｅは固定面１３ｆから樹脂パネル２２側に折り返したストッパー片１３ｇを有する。
また、上記ストッパー１３ｅのストッパー片１３ｇと干渉しないようにガラスパネル２１の厚みに相当する突出部１２ｇをガラスパネルの載置面１２ｆより外側に向けて形成した断面略Ｌ字形状のスペーサー１２ｅをベース枠の周方向に沿って複数個配置する。
この状態を図２及び図４（ｂ）に示す。
この状態でガラスパネル２１を図５（ａ）に示すように載置し、ガラスパネル２１の周囲を押え枠１２ａ，１２ｂ，１２ｃ，１２ｄにて押えるようにして、固定孔４３を介してビス等の固定具４０を用いて組み付ける。
その状態を図６に示す。
押え枠１２ａ，１２ｂ，１２ｃ，１２ｄはそれぞれ図９（ｄ）に示すように例えば１２ｃで説明すると、ガラスパネル２１の周囲表面に当接する押え面１１２ｃとベース枠１１への固定面２１２ｃとを有する断面カギ状の段差形状になっている。
この段差寸法は、ガラスパネル２１の厚みとベース枠からのガラスパネル２１の高さを考慮して設定する。
また、押え枠１２ａ，１２ｂ，１２ｃ，１２ｄを枠組みすることで、長方形の押え枠体１２を形成する。
本実施例では押え面１１２ｃと固定面２１２ｃとに緩衝シート５０を貼り付けてある。
また、ガラスパネル２１の内側面に赤外線及び紫外線カットフィルム２１ａを貼り付けてある。
【００１４】
次に図３及び図７に示すようにベース枠１１を裏返して、樹脂パネル２２をこのベース枠１１に載置する。
樹脂パネル２２は図１０（ｂ）に示すように外周部に沿って内側に突設した突出部２２ｃを有する略箱形であり、この突出部２２ｃによりストッパー１３ｅのストッパー片１３ｇと樹脂パネル２２とが当接しないようになっているとともに、樹脂パネル２２の外形寸法が縮小してもストッパー片１３ｇによりベース枠１１から外れないようになっている。
これにより、温度差による外形寸法の伸縮が大きく相違するガラスパネル２１と樹脂パネル２２とを平行に枠組みできた。
この状態で図３，図８（ａ）及び図１０（ｃ）に示すように押え枠１３ａ，１３ｂ，１３ｃ，１３ｄにて樹脂パネル２２をベース枠に組み付ける。
押え枠１３ａ，１３ｂ，１３ｃ，１３ｄは一体として長方形の押え枠体１３を形成する。
樹脂パネル２２の押え枠１３ａ，１３ｂ，１３ｃ，１３ｄは、ガラスパネル２１の押え枠１２ａ，１２ｂ，１２ｃ，１２ｄとそれぞれ厚み方向に対称形状になっていて、共通のアルミ押出形材で製作し、同様の緩衝シート５０を貼り付けてある。
これにより、押出形材はベース枠１１用と押え枠１２，１３用の二種類でよい。
また、ガラスパネル２１と樹脂パネル２２の間の隙間を従来の二重ガラスタイプよりも大きくとることができる。
例えば２０〜３０ｍｍに設定できる。
【００１５】
樹脂パネル２２は図３，図８に示すように装着孔２２ａを設け、この部分に図１２に示した除湿具３０を着脱自在に装着できるようになっている。
除湿具３０はシリカゲル３３を収容するケース部３１と、フタ部３２を有する。
ケース部３１は筒状になっていてその底部に、透湿・防水シート３１ａを貼ってある。
透湿・防水シートの例としてはタイベック（登録商標，デュポン社製）を使用することができる。
フタ部３２は外側から第１フタ材３２ａ，リング状のスペーサー３２ｂ，透湿・防水シート３２ｃ及び第２フタ材３２ｄを重ね合せてあり、第１フタ材３２ａと第２フタ材３２ｄとに、それぞれ相互に位置をずらして通気孔１３２ａ，１３２ｄを設けてある。
また、フタ部３２のケース部外周にはリング状の磁性材３２ｅ，例えばブリキ板を貼り合せてあり、図１１に示すように装着孔２２ａの周囲にマグネット３４を埋設し、除湿具３０が磁着する。
これにより、定期的に又は不定期に除湿具を取り外して再生したり、シリカゲルそのものを交換することができる。
また、既存の窓枠（サッシ枠）に取り付けるための差込部Ｓはベース枠１１のみで形成してもよいが、本実施例は図１０（ｃ）に示すようにベース枠１１の差込部Ｓ１と押え枠１２，１３の差込部Ｓ２，Ｓ３とを合せて差込部Ｓを形成した例になっている。
本実施例では、施錠構造を特に示さなかったが必要に応じて差し込み錠等、各種錠構造を採用してよい。
【符号の説明】
【００１６】
１        窓枠
１０      二重パネル窓
１１      ベース枠
１２      押え枠
１２ａ    押え枠
１２ｅ    スペーサー
１３      押え枠
１３ａ    押え枠
１３ｅ    ストッパー
２１ａ    フィルム
２２      樹脂パネル
２２ａ    装着孔
３０      除湿具
Ｓ        差込部
【図１】
0003170704.tif 000003
【図２】
0003170704.tif 000004
【図３】
0003170704.tif 000005
【図４】
0003170704.tif 000006
【図５】
0003170704.tif 000007
【図６】
0003170704.tif 000008
【図７】
0003170704.tif 000009
【図８】
0003170704.tif 000010
【図９】
0003170704.tif 000011
【図１０】
0003170704.tif 000012
【図１１】
0003170704.tif 000013
【図１２】
0003170704.tif 000014
【図１３】
0003170704.tif 000015
【手続補正書】
【提出日】平成23年7月26日(2011.7.26)
【手続補正１】
【補正対象書類名】実用新案登録請求の範囲
【補正対象項目名】全文
【補正方法】変更
【補正の内容】
【実用新案登録請求の範囲】
【請求項１】
樹脂パネルとガラスパネルとを所定の間隔を隔てて平行に枠組みし、前記枠組みした枠体の外周部に、既存窓枠の内周部に差し込むための差込部を有することを特徴とする二重パネル窓。
【請求項２】
前記枠体はベース枠の一方の面に所定高さのスペーサーを介してガラスパネルを載置し、
当該ガラスパネルを前記ベース枠に押え枠を用いて組み付けてあり、
ベース枠の他方の面に樹脂パネルを載置し、当該樹脂パネルを前記ベース枠に押え枠を用いて組み付けてあり、
当該樹脂パネルは高さ調整のために外周部がガラスパネルに向き合う方向に折り曲げられた高さ調整部を有し、
前記ベース枠は前記樹脂パネルの高さ調整部が当該ベース枠から外れるのを防止したストッパーを取り付けてあることを特徴とする請求項１記載の二重パネル窓。
【請求項３】
前記二重パネルの間に結露するのを防止した除湿具を着脱自在に有することを特徴とする請求項１又は２記載の二重パネル窓。
【請求項４】
前記除湿具は樹脂パネルに設けた装着孔に取り付けるとともに、装着孔の周囲部に設けたマグネットにより当該除湿具を着脱自在に取り付けてあることを特徴とする請求項１〜３のいずれかに記載の二重パネル窓。
【手続補正２】
【補正対象書類名】明細書
【補正対象項目名】０００７
【補正方法】変更
【補正の内容】
【０００７】
よって、本考案に係る二重パネル窓は、脂パネルとガラスパネルとを所定の間隔を隔てて平行に枠組みし、前記枠組みした枠体の外周部に、既存窓枠の内周部に差し込むための差込部を有することを特徴とする。
また、温度差にて樹脂パネルが枠から外れないようにするために、枠体はベース枠の一方の面に所定高さのスペーサーを介してガラスパネルを載置し、当該ガラスパネルを前記ベース枠に押え枠を用いて組み付けてあり、ベース枠の他方の面に樹脂パネルを載置し、当該樹脂パネルを前記ベース枠に押え枠を用いて組み付けてあり、当該樹脂パネルは高さ調整のために外周部がガラスパネルに向き合う方向に折り曲げられた高さ調整部を有し、前記ベース枠は前記樹脂パネルの高さ調整部が当該ベース枠から外れるのを防止したストッパーを取り付けてあることを特徴とする。
さらには、二重パネルの間に結露するのを防止した除湿具を着脱自在に有してもよく、その場合に除湿具は樹脂パネルに設けた装着孔に取り付けるとともに、装着孔の周囲部に設けたマグネットにより当該除湿具を着脱自在に取り付けてあるのが好ましい。
また、ガラスパネルには内側面又は外側面に赤外線あるいは紫外線をカットするフィルム又はコーティングをしてもよく、特にガラスの内側にフィルムを貼ったり、コーティングすると遮断膜の傷付きを防ぐことができる。
【手続補正３】
【補正対象書類名】明細書
【補正対象項目名】００１１
【補正方法】変更
【補正の内容】
【００１１】
樹脂パネル２２は周囲の温度差により外形寸法の伸縮が大きいために、樹脂パネル２２の外周部には図１０（ｂ）に示すように高さ調整のためにガラスパネル２１に向き合う方向に折り曲げられた高さ調整部２２ｃを有し、この高さ調整部２２ｃにて高さ調整をしつつ、断面Ｌ字形のストッパー１３ｅにて最大に縮小してもベース枠１１から外れないようになっている。
【手続補正４】
【補正対象書類名】明細書
【補正対象項目名】００１４
【補正方法】変更
【補正の内容】
【００１４】
次に図３及び図７に示すようにベース枠１１を裏返して、樹脂パネル２２をこのベース枠１１に載置する。
樹脂パネル２２は図１０（ｂ）に示すように外周部に沿って内側に折り曲げられた高さ調整部２２ｃを有する略箱形であり、この高さ調整部２２ｃによりストッパー１３ｅのストッパー片１３ｇと樹脂パネル２２とが当接しないようになっているとともに、樹脂パネル２２の外形寸法が縮小してもストッパー片１３ｇによりベース枠１１から外れないようになっている。
これにより、温度差による外形寸法の伸縮が大きく相違するガラスパネル２１と樹脂パネル２２とを平行に枠組みできた。
この状態で図３，図８（ａ）及び図１０（ｃ）に示すように押え枠１３ａ，１３ｂ，１３ｃ，１３ｄにて樹脂パネル２２をベース枠に組み付ける。
押え枠１３ａ，１３ｂ，１３ｃ，１３ｄは一体として長方形の押え枠体１３を形成する。
樹脂パネル２２の押え枠１３ａ，１３ｂ，１３ｃ，１３ｄは、ガラスパネル２１の押え枠１２ａ，１２ｂ，１２ｃ，１２ｄとそれぞれ厚み方向に対称形状になっていて、共通のアルミ押出形材で製作し、同様の緩衝シート５０を貼り付けてある。
これにより、押出形材はベース枠１１用と押え枠１２，１３用の二種類でよい。
また、ガラスパネル２１と樹脂パネル２２の間の隙間を従来の二重ガラスタイプよりも大きくとることができる。
例えば２０〜３０ｍｍに設定できる。